(57)【要約】【課題】  流し台のごみ溜めや洗面化粧台のトラップの排水口と床面から立ち上がる床排水管との軸芯がずれていても、１つの接続管でズレを容易に調整することができ、現場作業性を大幅に改善し、作業コストも低減できる接続管を提供する。【解決手段】  接続管を、上端部がシンクの排水口と連通接続される直管部と、該直管部の下端に連通された略く字状に形成された屈曲部と、該屈曲部下端部から直線状に延びる切断可能部と、から構成した。【選択図】図１
2008002207.tif 000002
【特許請求の範囲】
【請求項１】
上端部がシンクの排水口と連通接続される直管部と、該直管部の下端に連通された略く字状に形成された屈曲部と、該屈曲部下端部から直線状に延びる切断可能部と、から構成されてなる接続管。
【請求項２】
前記切断可能部は、シンクの排水口と床排水管との芯ズレ距離が０ｍｍ〜１００ｍｍまで対応可能な長さを有することを特徴とする請求項１に記載の接続管。
【請求項３】
請求項１又は請求項２のいずれかに記載の接続管の上端部をシンクの排水口と水密に連通接続すると共に、該接続管の切断可能部を、シンクの排水口と床排水管との芯ズレ距離に対応させて切断し、該切断部を４５°エルボ及び立ち上がり配管を介して前記床排水管と連通接続することを特徴とするこの接続管を利用した排水管接続方法。
【発明の詳細な説明】
【技術分野】
【０００１】
この発明は、台所の流し台のごみ溜めの排水口と床面から立ち上がる床排水管との接続や洗面化粧台の排水口と床面から立ち上がる床排水管との接続に使用して好適な芯（位置ずれ）調節が可能な接続管及び該接続管を用いた排水管接続方法に関する。
【背景技術】
【０００２】
従来、家庭用の台所流し台や洗面化粧台において、ごみ溜めからの排水管または洗面化粧台からの排水管には、トラップが設けられ、このトラップの排水口にフレキシブルな蛇腹管が接続され、この蛇腹管の他端部を床面から立ち上がる床排水管に差し込むことにより、排水管路が形成されて排水されているものが多い。蛇腹管を使用する理由は、流し台や洗面化粧台に設置されるトラップの排水口に合わせて床下排水配管を設置するのが難しく、床下から立ち上がる排水管の位置と流し台や洗面化粧台に設置されるトラップの排水口との軸芯（位置）がずれてしまい、継手を使用した剛性管による配管ができないためである。
【０００３】
しかしながら、フレキシブルな蛇腹管により、流し台のごみ溜めや洗面化粧台のトラップの排水口と床面から立ち上がる床排水管とを接続する排水管路においては、蛇腹管の内面に凹凸が存在するため、ごみ溜めや洗面化粧台から流れ出たごみ等が蛇腹管の内面凹部に堆積し易く、管路が閉塞され、流し台や洗面化粧台からの排水が滞りがちとなる。特に、繊維質のごみや髪の毛は一旦蛇腹管に引っ掛かると、次々に堆積し、蛇腹管を詰まらせてしまう。したがって、度々、蛇腹管の内面を清掃しなければならない、という問題点があった。また、蛇腹管の他端部を床面から立ち上がる排水管に差し込むことにより、排水管路が形成されて排水されているが蛇腹管の排水管への差込み部にはカバーがなされているが、密封性に劣るため排水管路からの悪臭が、流し台の下部空間に漏れ出してくるという問題点もあった。更に、蛇腹管は傾斜して配管されているため、流し台の下部空間が雑然とした感じとなっていた。
【０００４】
このため、近年では、例えば特許文献１に示す排水継ぎ手を用いて排水管路を形成するものや、図３に示す接続管１を用いて排水管路を形成するものが提案されている。
【０００５】
【特許文献１】特開平９−０１３４５２号公報
【発明の開示】
【発明が解決しようとする課題】
【０００６】
しかしながら、上記特許文献１の構成では、部品点数が非常に多く、現場での作業が非常に煩雑となる、という問題を有していた。また、図３に示す接続管１では、上端部がシンクの排水口と連通接続される直管部２と、該直管部１の下端から４５°斜め下方に折曲形成された切断可能部３と、から構成されているだけの構成であるため、切断可能部は、シンクの排水口と床排水管との芯ズレ距離が２８．２ｍｍ〜１００ｍｍまでしか対応させることができず、０ｍｍ〜２８．２ｍｍに対応させるためには、別の接続アタッチメントが必要となり、結局部品点数が嵩み、現場での作業が非常に煩雑となる、という問題を有していた。尚、図中符号４は、４５°エルボである。
【０００７】
この発明は、かかる現状に鑑み創案されたものであって、その目的とするところは、流し台のごみ溜めや洗面化粧台のトラップの排水口と床面から立ち上がる床排水管との軸芯がずれていても、１つの接続管で０ｍｍ〜１００ｍｍ程度のズレを容易に調整することができ、現場作業性を大幅に改善し、作業コストも低減できる接続管及び該接続管を用いた排水管接続方法を提供しようとするものである。
【課題を解決するための手段】
【０００８】
上記目的を達成するため、請求項１に記載の発明にあっては、接続管を、上端部がシンクの排水口と連通接続される直管部と、該直管部の下端に連通された略く字状に形成された屈曲部と、該屈曲部下端部から直線状に延びる切断可能部と、から構成したことを特徴とするものである。
【０００９】
また、請求項２に記載の発明にあっては、請求項１に記載の接続管を技術的前提とし、前記切断可能部は、シンクの排水口と床排水管との芯ズレ距離が０ｍｍ〜１００ｍｍまで対応可能な長さを有することを特徴とするものである。
【００１０】
さらに、請求項３に記載の排水管接続方法にあっては、請求項１又は請求項２のいずれかに記載の接続管の上端部をシンクの排水口と水密に連通接続すると共に、該接続管の切断可能部を、シンクの排水口と床排水管との芯ズレ距離に対応させて切断し、該切断部を４５°エルボ及び立ち上がり配管を介して前記床排水管と連通接続することを特徴とする。
【発明の効果】
【００１１】
請求項１に記載の発明は、以上説明したように、接続管を、上端部がシンクの排水口と連通接続される直管部と、該直管部の下端に連通された略く字状に形成された屈曲部と、該屈曲部下端部から直線状に延びる切断可能部と、から構成したので、流し台のごみ溜めや洗面化粧台のトラップの排水口と床面から立ち上がる床排水管との軸芯がずれていても、１つの接続管でこのズレを容易に調整することができ、現場作業性を大幅に改善し、作業コストも低減できる。
【００１２】
また、請求項２に記載の発明にあっては、前記切断可能部は、シンクの排水口と床排水管との芯ズレ距離が０ｍｍ〜１００ｍｍまで対応可能な長さを有するので、１つの接続管で０ｍｍ〜１００ｍｍ程度のズレを容易に調整することができる。
【００１３】
さらに、請求項３に記載の発明にあっては、本発明の接続管の上端部をシンクの排水口と水密に連通接続すると共に、該接続管の切断可能部を、シンクの排水口と床排水管との芯ズレ距離に対応させて切断し、該切断部を４５°エルボ及び立ち上がり配管を介して前記床排水管と連通接続するだけの作業で排水管路を連通接続することができるので、部品点数が減少し、現場作業性が簡略化される、という効果を得ることができる。
【発明を実施するための最良の形態】
【００１４】
以下、添付図面に示す実施の形態例に基づき、この発明を詳細に説明する。
【００１５】
図１は、本発明の一実施形態例に係る接続管を用いて排水管路を接続した状態説明図を、図２は、同排水管路の接続可能範囲を示す説明図である。
【００１６】
この実施形態例に係る接続管１０は、例えば、塩化ビニール等の易切断可能な合成樹脂で形成されており、上端部がシンク５の排水口と連通接続される直管部１１と、該直管部１１の下端に連通され、内側外周面１４が直管部１１のセンタ線を越えて略く字状に形成された屈曲部１２と、該屈曲部１２の下端部から直線状に延びる切断可能部１３と、から構成されており、上記切断可能部１３は、シンク５の排水口と床排水管（図示せず）からの立ち上がり配管６との芯ズレ距離が０ｍｍ〜１００ｍｍまで対応可能な長さを有して構成されている。勿論、床排水管がキャビネットの内底板から上部に突出している場合には、後記するフリーパイプ７とエルボ４とで、本接続管１０と連通接続することもできる。このフリーパイプ７は、任意の長さに切断可能な直管で構成された公知のものを用いる。
【００１７】
即ち、本接続管１０は、略く字状の屈曲部１２が直管部１１の下端に連通形成されているので、く字状の下側に連設されている切断可能部１３のほぼ上端部まで切断しても４５°エルボ４を接続することができるため、直管部１１の軸線の真下（即ち、芯ズレ０ｍｍ）でも上記エルボ４と立ち上がり配管６を介して排水管路を接続することができ、また、切断可能部１３の下端部にエルボ４を接続した場合には、この実施形態では１００ｍｍまでの芯ズレに対応させることができる。勿論、切断可能部１３は、１００ｍｍ以上であっても構わない。
【００１８】
このように、本接続管１０の直管部１１の上端部をシンク５の排水口と水密に連通接続すると共に、該接続管１０の切断可能部１３を、シンク５の排水口と床排水管からの立ち上がり配管６との芯ズレ距離に対応させて切断し、該切断部に、この実施形態例では、４５°エルボ４、フリーパイプ７及びヤリトリ配管継手８を介して、床排水管に連通接続された立ち上がり配管６を接続するだけの作業で排水管路を連通接続することができるので、部品点数が減少し、現場作業性が簡略化されるという効果が得られる。勿論、フリーパイプ７及びヤリトリ配管継手８を用いずに、エルボ４と立ち上がり配管６とを直接接続しても構わない。
【図面の簡単な説明】
【００１９】
【図１】本発明の一実施形態例に係る接続管を用いて排水管路を接続した状態説明図である。
【図２】同排水管路の接続可能範囲を示す説明図である。
【図３】従来の接続管を用いた排水管路の構成と接続可能範囲を示す説明図である。
【符号の説明】
【００２０】
４  ４５°エルボ
５  シンク
６  立ち上がり配管（床排水管）
１０  接続管
１１  直管部
１２  屈曲部
１３  切断可能部
【図１】
2008002207.tif 000003
【図２】
2008002207.tif 000004
【図３】
2008002207.tif 000005